(57)【要約】【課題】さらなる省電力化および検出精度の高精度化を図ることができる携帯情報機器を提供すること。【解決手段】本発明の携帯情報機器１０は、気圧センサー１０６と、分解能が変更可能であり、気圧センサー１０６からの第１アナログ信号を第１デジタル信号に変換して出力するアナログデジタル変換部１１５と、温度センサー１０７と、分解能が変更可能であり、温度センサー１０７からの第２アナログ信号を第２デジタル信号に変換して出力するアナログデジタル変換部１１６と、アナログデジタル変換部１１５、１１６の分解能に関する設定情報を記憶している記憶部１１４と、記憶部１１４に記憶されている設定情報を用いてアナログデジタル変換部１１５、１１４の分解能を設定する動作を制御する制御部１１０と、を備える。【選択図】図２
2016208217.tif 000002
【特許請求の範囲】
【請求項１】
第１物理量を検出して前記第１物理量に応じた第１アナログ信号を出力する第１センサーと、
分解能が変更可能であり、前記第１アナログ信号を第１デジタル信号に変換して出力する第１アナログデジタル変換部と、
前記第１アナログデジタル変換部の分解能を含む設定情報を記憶している第１記憶部と、
第２物理量を検出して前記第２物理量に応じた第２アナログ信号を出力する第２センサーと、
分解能が変更可能であり、前記第２アナログ信号を第２デジタル信号に変換して出力する第２アナログデジタル変換部と、
前記第２アナログデジタル変換部の分解能を含む設定情報を記憶している第２記憶部と、
前記第１記憶部に記憶されている設定情報を用いて前記第１アナログデジタル変換部の分解能を設定する動作、および、前記第２記憶部に記憶されている設定情報を用いて前記第２アナログデジタル変換部の分解能を設定する動作のうちの少なくとも一方の動作を制御する制御部と、
を備えることを特徴とする携帯情報機器。
【請求項２】
前記第１センサーが気圧センサーである請求項１に記載の携帯情報機器。
【請求項３】
衛星信号を受信する受信機を備える請求項１または２に記載の携帯情報機器。
【請求項４】
腕時計型の外装部を有する請求項１ないし３のいずれか１項に記載の携帯情報機器。
【請求項５】
第３物理量を検出して前記第３物理量に応じた第３アナログ信号を出力する第３センサーを備え、
前記制御部は、前記第１センサー、前記第２センサーおよび前記第３センサーのうちの少なくとも１つのセンサーを停止する機能をさらに有する請求項１ないし４のいずれか１項に記載の携帯情報機器。
【請求項６】
前記第１センサーが気圧センサーであり、
前記制御部は、前記気圧センサーの単位時間当たりの検出気圧の変化に基づいて、前記第１アナログデジタル変換部の分解能を設定する請求項１ないし５のいずれか１項に記載の携帯情報機器。
【発明の詳細な説明】
【技術分野】
【０００１】
本発明は、携帯情報機器に関するものである。
【背景技術】
【０００２】
情報にアクセスするための情報機器のうち、ユーザーが携帯して使用可能な携帯情報機器が知られている（例えば、特許文献１参照）。
【０００３】
例えば、特許文献１に記載の装置は、ＧＰＳデータ受信部と、圧力センサーと、を備え、圧力センサーの測定結果に基づく高度情報、および、ＧＰＳデータ受信部で受信したＧＰＳデータに基づく高度情報を併用する。また、この装置は、圧力センサーが測定している圧力変化の方向が変わったときに限りＧＰＳデータ受信部によるＧＰＳデータの受信を行うことで、測定精度の高精度化と省電力化との両立を図っている。
しかし、近年では、さらなる省電力化および測定精度の向上が求められている。
【先行技術文献】
【特許文献】
【０００４】
【特許文献１】特開２０１３−２０５０２９号公報
【発明の概要】
【発明が解決しようとする課題】
【０００５】
本発明の目的は、さらなる省電力化および検出精度の高精度化を図ることができる携帯情報機器を提供することにある。
【課題を解決するための手段】
【０００６】
このような目的は、下記の本発明により達成される。
［適用例１］
本発明の携帯情報機器は、第１物理量を検出して前記第１物理量に応じた第１アナログ信号を出力する第１センサーと、
分解能が変更可能であり、前記第１アナログ信号を第１デジタル信号に変換して出力する第１アナログデジタル変換部と、
前記第１アナログデジタル変換部の分解能を含む設定情報を記憶している第１記憶部と、
第２物理量を検出して前記第２物理量に応じた第２アナログ信号を出力する第２センサーと、
分解能が変更可能であり、前記第２アナログ信号を第２デジタル信号に変換して出力する第２アナログデジタル変換部と、
前記第２アナログデジタル変換部の分解能を含む設定情報を記憶している第２記憶部と、
前記第１記憶部に記憶されている設定情報を用いて前記第１アナログデジタル変換部の分解能を設定する動作、および、前記第２記憶部に記憶されている設定情報を用いて前記第２アナログデジタル変換部の分解能を設定する動作のうちの少なくとも一方の動作を制御する制御部と、
を備えることを特徴とする。
【０００７】
このような携帯情報機器によれば、第１アナログデジタル変換部および第２アナログデジタル変換部のそれぞれにおいて、高い分解能を用いることで、高精度な検出を行うことができ、一方、低い分解能を用いることで、消費電力を低減することができる。特に、携帯情報機器の使用シーンに応じて、各アナログデジタル変換部の分解能を適宜変更することで、省電力化と検出精度の高精度化との両立を図ることができる。
【０００８】
［適用例２］
本発明の携帯情報機器では、前記第１センサーが気圧センサーであることが好ましい。
これにより、気圧情報やこれに基づく高度情報を得ることができる。
【０００９】
［適用例３］
本発明の携帯情報機器では、衛星信号を受信する受信機を備えることが好ましい。
これにより、位置情報を得ることができる。
【００１０】
［適用例４］
本発明の携帯情報機器では、腕時計型の外装部を有することが好ましい。
これにより、携帯性に優れた腕時計型の携帯情報機器を実現することができる。
【００１１】
［適用例５］
本発明の携帯情報機器では、第３物理量を検出して前記第３物理量に応じた第３アナログ信号を出力する第３センサーを備え、
前記制御部は、前記第１センサー、前記第２センサーおよび前記第３センサーのうちの少なくとも１つのセンサーを停止する機能をさらに有することが好ましい。
【００１２】
これにより、特に詳細な検出情報が特に必要な場合に検出を行うセンサーの数を増やし、検出情報の充実化を図り、一方、それ以外の場合に検出を行うセンサーの数を減らし、消費電力を低減することができる。
【００１３】
［適用例６］
本発明の携帯情報機器では、前記第１センサーが気圧センサーであり、
前記制御部は、前記気圧センサーの単位時間当たりの検出気圧の変化に基づいて、前記第１アナログデジタル変換部の分解能を設定することが好ましい。
【００１４】
これにより、高精度な検出が特に必要な場合に第１アナログデジタル変換部の分解能を高くし、検出精度を高め、一方、それ以外の場合に第１アナログデジタル変換部の分解能を低くし、消費電力を低減することができる。
【図面の簡単な説明】
【００１５】
【図１】本発明の実施形態に係る携帯情報機器を示す平面図である。
【図２】図１に示す携帯情報機器の制御系を示すブロック図である。
【図３】（ａ）は、図２に示す各アナログデジタル変換部の分解能と動作モードとの組み合わせを示す図、（ｂ）は、（ａ）に示す動作モードと精度・消費電流との関係を示す図である。
【図４】図２に示す各アナログデジタル変換部の分解能の切り換え例（第１例）を示す図である。
【図５】図２に示す各アナログデジタル変換部の分解能の切り換え例（第２例）を示す図である。
【図６】図２に示す各アナログデジタル変換部の分解能の切り換え例（第３例）を示す図である。
【図７】図２に示す各アナログデジタル変換部の分解能の切り換え例（第４例）を示す図である。
【発明を実施するための形態】
【００１６】
以下、本発明の携帯情報機器を添付図面に示す好適な実施形態について説明する。なお、以下では、本発明の携帯情報機器を時計型の携帯情報機器に適用した場合を例に説明する。
【００１７】
図１は、本発明の実施形態に係る携帯情報機器を示す平面図、図２は、図１に示す携帯情報機器の制御系を示すブロック図である。
【００１８】
図１に示す携帯情報機器１０は、腕時計型の携帯情報機器である。この携帯情報機器１０は、図１に示すように、ケース１０１と、ケース１０１の一方の面（表面）に設けられた表示部１０２と、ケース１０１の側面に設けられた複数の操作ボタン１０３と、を備えている。また、ケース１０１には、使用者の腕に装着する際に用いるバンド１０４が取り付けられている。このような腕時計型の外装部（ケース１０１およびバンド１０４）を有する携帯情報機器１０は、携帯性を優れる。
【００１９】
ケース１０１は、中空の偏平形状をなしている。このケース１０１の一方の偏平面側には、表示部１０２が設けられている。
【００２０】
図２に示すように、携帯情報機器１０は、表示部１０２、ＧＰＳ受信部１０５（時刻情報生成部）、気圧センサー１０６、温度センサー１０７、加速度センサー１０８、ジャイロセンサー１０９、無線通信部１１１、制御部１１０、電源回路１１２、バッテリー１１３およびアナログデジタル変換部１１５〜１１８を有しており、これらが前述したケース１０１内に収納されている。なお、無線通信部１１１を省略してもよい。また、携帯情報機器１０は、磁気センサー等の他のセンサーや、バイブレーション機能を有する振動部、音声を発生させる音声発生部（スピーカー）等を有していてもよい。
【００２１】
ここで、気圧センサー１０６は、第１物理量として気圧を検出してその気圧に応じた第１アナログ信号を出力する「第１センサー」であり、温度センサー１０７、加速度センサー１０８およびジャイロセンサー１０９のうち、１つのセンサーは、第２物理量を検出してその第２物理量に応じた第２アナログ信号を出力する「第２センサー」であり、他の１つのセンサーは、第３物理量を検出してその第３物理量に応じた第３アナログ信号を出力する「第３センサー」であり、残りの１つのセンサーは、第４物理量を検出してその第４物理量に応じた第４アナログ信号を出力する「第４センサー」である。また、アナログデジタル変換部１１５〜１１８は、それぞれ、分解能が変更可能であり、アナログデジタル変換部１１５は、第１アナログ信号を第１デジタル信号に変換して出力する「第１アナログデジタル変換部」であり、アナログデジタル変換部１１６〜１１８は、第２〜第４アナログ信号を第２〜第４デジタル信号に変換して出力する「第２〜第４アナログデジタル変換部」である。
【００２２】
表示部１０２は、時刻情報、温度情報（外気温情報）、気圧情報、位置情報、標高情報、斜度情報、計時情報等の各種情報を必要に応じて表示可能に構成されている。このような表示部１０２は、例えば、液晶パネルまたは有機エレクトロルミネッセンスパネル等の表示パネルと、表示パネルを駆動する駆動回路とを含んで構成されている。
【００２３】
ＧＰＳ受信部１０５（受信機）は、人工衛星を利用した全地球航法衛星システム（ＧＮＳＳ：Global Navigation Satellite System）の１つであるＧＰＳ（Global Positioning System）に用いるＧＰＳ衛星から送信された衛星信号を受信する機能を有する。また、ＧＰＳ受信部１０５は、衛星信号に重畳されている軌道情報や時刻情報に基づいてＧＰＳ受信部１０５の現在位置（すなわち携帯情報機器１０の現在位置）や時刻情報を算出する処理や、時刻が１秒ごとに更新される正確なタイミング信号（１ＰＰＳ）を生成する処理等を行う。
【００２４】
このようなＧＰＳ受信部１０５は、ＧＰＳ受信機１０５１およびＧＰＳアンテナ１０５２を有している。ＧＰＳ受信機１０５１は、例えば、ＲＦ（Radio Frequency）部およびベースバンド部を含んで構成されている。ＲＦ部は、例えば、ＬＮＡ（Low Noise Amplifier）、ミキサ、ＶＣＯ（Voltage Controlled Oscillator）、ＰＬＬ（Phase Locked Loop）回路、ＩＦアンプ、ＩＦ（Intermediate Frequency）フィルタ、ＡＤＣ（Ａ／Ｄ変換器）等を含んで構成されている。ベースバンド部は、例えば、ＤＳＰ（Digital Signal Processor）、ＣＰＵ（Central Processing Unit）、ＳＲＡＭ（Static Random Access Memory）、ＲＴＣ（リアルタイムクロック）を含んで構成されている。また、ベースバンド部には、温度補償回路付き水晶発振回路（ＴＣＸＯ：Temperature Compensated Crystal Oscillator）やフラッシュメモリ等が接続されている。
【００２５】
気圧センサー１０６は、ケース１０１外の気圧を検出する機能を有する。この気圧センサー１０６は、例えば、半導体製造技術を用いて製造された小型な気圧センサー（例えばＭＥＭＳ型気圧センサー）を含んで構成されている。より具体的には、例えば、気圧センサー１０６、受圧により撓み変形するダイヤフラム部と、ダイヤフラム部の撓みを検出する歪検出素子（例えばピエゾ抵抗素子）と、を備えている。ダイヤフラム部は、例えば、シリコンで構成されている。歪検出素子は、例えば、ピエゾ抵抗素子である。
【００２６】
温度センサー１０７は、ケース１０１外の温度を検出する機能を有する。この温度センサー１０７は、例えば、熱電対またはサーミスタ等を含んで構成されている。
【００２７】
加速度センサー１０８は、携帯情報機器１０に加わる加速度を３軸で検出する機能を有する。この加速度センサー１０８は、例えば、ＭＥＭＳ技術を用いて製造された加速度センサー素子を含んで構成されている。
【００２８】
ジャイロセンサー１０９は、携帯情報機器１０に加わる角速度を３軸で検出する機能を有する。このジャイロセンサー１０９は、例えば、ＭＥＭＳ技術を用いて製造された角速度センサー素子を含んで構成されている。
【００２９】
無線通信部１１１は、無線通信（送信および受信）機能を有する。より具体的には、無線通信部１１１は、前述した各センサーの検出結果またはそれを利用して得られた情報を無線送信する機能を有する。これにより、使用者は、無線通信部１１１から無線送信された情報を、例えば、パーソナルコンピューター等のホスト（図示せず）で受信して利用することができる。
【００３０】
また、無線通信部１１１は、例えば、使用者の身体に取り付けられた無線機能付きのセンサーからの情報を受信する機能をさらに有する。例えば、かかるセンサーとして加速度センサー、角速度センサー等を用いることにより、使用者の身体の動き（姿勢の変化）を検出することができる。かかる検出結果を単独または他の検知情報と組み合わせて、有益な情報を得ることができる。
このような無線通信部１１１は、アンテナ１１１１および通信回路１１１２を有する。
【００３１】
アンテナ１１１１は、特に限定されないが、例えば、金属材料、カーボン等で構成され、巻線、薄膜等の形態をなす。なお、アンテナ１１１１は、送信および受信に共通して１つのアンテナで構成されていてもよいし、送信および受信のそれぞれに対応して２つのアンテナで構成されていてもよい。
【００３２】
通信回路１１１２は、例えば、電磁波を送信するための送信回路と、送信する信号を変調する機能を有する変調回路と、電磁波を受信するための受信回路と、受信する信号を復調する機能を有する復調回路とを有する。なお、通信回路１１１２は、信号の周波数を小さく変換する機能を有するダウンコンバータ回路、信号の周波数を大きく変換する機能を有するアップコンバータ回路、信号を増幅する機能を有する増幅回路等を有していてもよい。
【００３３】
アナログデジタル変換部１１５〜１１８は、それぞれ、アナログ信号をデジタル信号に変換するアナログデジタル変換回路を含んでいる。アナログデジタル変換部１１５は、気圧センサー１０６からのアナログ信号（圧力検出信号）をデジタル信号に変換する。アナログデジタル変換部１１６は、温度センサー１０７からのアナログ信号（温度検出信号）をデジタル信号に変換する。アナログデジタル変換部１１７は、加速度センサー１０８からのアナログ信号（加速度検出信号）をデジタル信号に変換する。アナログデジタル変換部１１８は、ジャイロセンサー１０９からのアナログ信号（角速度検出信号）をデジタル信号に変換する。ここで、各アナログデジタル変換部１１５〜１１８は、図示しないクロック回路からのクロック信号に基づいて所定のサンプリング周波数で変換を行う。なお、このサンプリング周波数は、アナログデジタル変換部同士で同じであってもよいし異なっていてもよく、また、後述する分解能ごとに変更してもよいし分解能の変更に関係なく一定であってもよい。
【００３４】
また、各アナログデジタル変換部１１５〜１１８は、分解能を変更可能に構成されている。なお、アナログデジタル変換部１１５〜１１８の分解能の変更については、後に詳述する。
【００３５】
記憶部１１４は、制御部１１０の動作に必要な情報を記憶する機能を有する。具体的には、記憶部１１４は、前述したアナログデジタル変換部１１５〜１１８の分解能に関する設定情報を記憶している。ここで、記憶部１１４は、第１アナログデジタル変換部であるアナログデジタル変換部１１５の分解能に関する設定情報を記憶している「第１記憶部」と、第２〜第４アナログデジタル変換部であるアナログデジタル変換部１１６〜１１８の分解能に関する設定情報を記憶している「第２〜第４記憶部」と、を含む。なお、記憶部１１４に記憶されている設定情報については、アナログデジタル変換部１１５〜１１８の分解能の変更の説明とともに後に詳述する。
【００３６】
制御部１１０は、携帯情報機器１０の各部を制御する機能を有する。具体的には、例えば、制御部１１０は、携帯情報機器１０が備えるセンサー等から得られる情報に基づいて、時刻情報、温度情報（外気温情報）、気圧情報、位置情報、標高情報、斜度情報、計時情報等の各種情報を必要に応じて表示部１０２に表示する。また、制御部１１０は、操作ボタン１０３の操作により、表示部１０２に表示する情報の種類や表示形態を変更したり、携帯情報機器１０の動作モードの切り換えを行ったりする機能を有する。
【００３７】
ここで、表示部１０２に表示する情報は、各センサーの検出結果をそのまま表示してもよいし、その検出結果に基づいて必要に応じて計算を行った結果を表示してもよい。例えば、時刻情報は、ＧＰＳ受信部１０５からの出力またはその出力に基づく計算結果から得られる。温度情報は、温度センサー１０７の検出結果またはその検出結果に基づく計算結果から得られる。気圧情報は、気圧センサー１０６の検出結果またはその検出結果に基づく計算結果から得られる。位置情報は、緯度情報、経度情報および高度情報（標高情報）からなり、緯度情報および経度情報は、ＧＰＳ受信部１０５からの出力に基づく計算結果から得られ、高度情報は、気圧センサー１０６の検出結果に基づく計算結果から得られる。斜度情報は、ＧＰＳ受信部１０５からの出力（時刻情報、緯度情報および経度情報）と、気圧センサー１０６の検出結果（高度情報）とに基づく計算結果から得られる。計時情報は、ＧＰＳ受信部１０５からの出力（時刻情報）に基づく計算結果から得られる。これらの情報は、１つを単独でまたは２つ以上を組み合わせて表示部１０２に表示される。また、あるセンサーの検出結果を他のセンサーの検出結果に基づいて補正してもよい。例えば、高度情報は、気圧センサー１０６の検出結果だけでなく、ＧＰＳ受信部１０５からの出力（緯度情報および経度情報）、加速度センサー１０８の検出結果（加速度情報）およびジャイロセンサー１０９の検出結果（角速度情報）を用いて補正することができる。また、気圧センサー１０６、加速度センサー１０８およびジャイロセンサー１０９は一般に温度特性を有するため、これらのセンサーの検出結果またはそれにより得られる情報を温度センサー１０７の検出結果またはそれにより得られる情報を用いて補正（温度補正）することができる。このように複数のセンサーを用いて、ある１つの情報を得ることで、検出精度を高めることができる。
【００３８】
特に、制御部１１０は、前述した記憶部１１４に記憶されている分解能に関する設定情報を用いて、各アナログデジタル変換部１１５〜１１８の分解能を設定する機能を有する。すなわち、制御部１１０は、記憶部１１４（第１〜第４記憶部）に記憶されている設定情報を用いて、アナログデジタル変換部１１５〜１１８（第１〜第４アナログデジタル変換部）のうちの少なくとも１つのアナログデジタル変換部の分解能を設定する動作を制御する機能を有する。
【００３９】
このような制御部１１０は、例えば、ＣＰＵ（Central Processing Unit）、ＲＯＭ（read only memory）、ＲＡＭ（Random Access Memory）、Ｉ／Ｏ（input/output）ポート等を含んで構成されている。
【００４０】
電源回路１１２は、バッテリー１１３からの電力を、前述したケース１０１内の電子部品または電子回路に対して必要に応じて供給する機能を有する。バッテリー１１３としては、特に限定されないが、例えば、リチウム電池等の一次電池、または、リチウムイオン電池、ニッケル水素電池等の二次電池を用いることができる。
【００４１】
なお、電源回路１１２による電力の供給は、常時行ってもよいが、携帯情報機器１０が電源スイッチを有する場合、電源スイッチの操作によりオンオフできるようになっていてもよく、また、携帯情報機器１０が電力入力端子を有する場合、電力入力端子から電力が入力されるときに、電力入力端子からの電力により供給を行い、バッテリー１１３からの電力供給を停止してもよい。
【００４２】
（アナログデジタル変換部の分解能の変更）
以下、アナログデジタル変換部１１５〜１１８の分解能の変更について詳述する。
【００４３】
図３（ａ）は、図２に示す各アナログデジタル変換部の分解能と動作モードとの組み合わせを示す図、図３（ｂ）は、図３（ａ）に示す動作モードと精度・消費電流との関係を示す図である。なお、図３（ｂ）に示す精度は、複数のセンサーの検出結果を組み合わせて用いて高度を測定する場合における高度の測定精度である。
【００４４】
本実施形態では、アナログデジタル変換部１１５〜１１８は、それぞれ、３段階で分解能が変更可能に構成されている。なお、アナログデジタル変換部１１５〜１１８の変更可能な分解能の数は、少なくとも１つのアナログデジタル変換部と他のアナログデジタル変換部とで異なっていてもよい。
【００４５】
ここで、アナログデジタル変換部１１５〜１１８の変更可能な分解能は、アナログデジタル変換部同士で互いに同じであってもよいが、各センサーの特性等に応じて各アナログデジタル変換部ごとに設定されていることが好ましい。図３（ａ）に示す例では、気圧センサー１０６からのアナログ信号が入力されるアナログデジタル変換部１１５は、１８ｂｉｔ、１６ｂｉｔ、１２ｂｉｔの３段階で分解能が変更可能に構成されている。温度センサー１０７からのアナログ信号が入力されるアナログデジタル変換部１１６は、１８ｂｉｔ、１４ｂｉｔ、１０ｂｉｔの３段階で分解能が変更可能に構成されている。加速度センサー１０８からのアナログ信号が入力されるアナログデジタル変換部１１７は、１８ｂｉｔ、１４ｂｉｔ、１２ｂｉｔの３段階で分解能が変更可能に構成されている。ジャイロセンサー１０９からのアナログ信号が入力されるアナログデジタル変換部１１８は、１８ｂｉｔ、１４ｂｉｔ、１２ｂｉｔの３段階で分解能が変更可能に構成されている。なお、上述した分解能の組み合わせは、一例であり、これに限定されるものではない。
【００４６】
そして、記憶部１１４には、前述した各アナログデジタル変換部１１５〜１１８の分解能に関する設定情報が記憶されており、制御部１１０は、この設定情報を用いて、各アナログデジタル変換部１１５〜１１８の分解能を設定・変更する。図３（ａ）に示す例では、６つの動作モード（Ｍｏｄｅ１〜Ｍｏｄｅ６）を設け、各モードごとにアナログデジタル変換部１１５〜１１８の分解能に関する設定情報が記憶部１１４に記憶されている。また、記憶部１１４には、各モードごとに各アナログデジタル変換部１１５〜１１８およびＧＰＳ受信部１０５の動作の有無に関する設定情報も記憶されている。
【００４７】
より具体的には、動作モードＭｏｄｅ１では、アナログデジタル変換部１１５〜１１８のそれぞれの分解能を最大（１８ｂｉｔ）にするとともに、ＧＰＳ受信部１０５を動作させる。これにより、動作モードＭｏｄｅ１では、図３（ｂ）に示すように、消費電力が増大するものの、極めて高い検出精度を実現することができる。
【００４８】
動作モードＭｏｄｅ２では、アナログデジタル変換部１１５〜１１８のそれぞれの分解能を最大（１８ｂｉｔ）にするが、ＧＰＳ受信部１０５を停止させる。これにより、動作モードＭｏｄｅ２では、図３（ｂ）に示すように、アナログデジタル変換部１１５〜１１８のそれぞれの分解能を最大にすることで、検出精度を比較的高く維持しつつ、最も消費電力の大きいＧＰＳ受信部１０５を停止させることで、効率的に消費電力を低減することができる。
【００４９】
動作モードＭｏｄｅ３では、動作モードＭｏｄｅ２に対して、比較的消費電力の大きいアナログデジタル変換部１１６、１１８の分解能を一段階低くする。これにより、動作モードＭｏｄｅ３では、図３（ｂ）に示すように、アナログデジタル変換部１１５、１１７のそれぞれの分解能を最大にすることで、検出精度を比較的高く維持しつつ、比較的消費電力の大きいアナログデジタル変換部１１６、１１８の分解能を一段階低下させることで、効率的に消費電力を低減することができる。
【００５０】
動作モードＭｏｄｅ４では、動作モードＭｏｄｅ３に対して、アナログデジタル変換部１１５、１１７、１１８の分解能を一段階低くする。これにより、動作モードＭｏｄｅ４では、図３（ｂ）に示すように、消費電力をさらに低減することができる。ここで、動作モードＭｏｄｅ４は、動作モードＭｏｄｅ３に比べて、検出精度が低下するものの、すべてのセンサーの検出結果を併用して高度を求めるため、比較的高い検出精度を維持することができる。
【００５１】
動作モードＭｏｄｅ５では、動作モードＭｏｄｅ４に対して、アナログデジタル変換部１１５、１１７の分解能を一段階低くするとともに、高度の測定精度に与える影響が最も少ないアナログデジタル変換部１１８を停止させる。これにより、動作モードＭｏｄｅ５では、図３（ｂ）に示すように、動作モードＭｏｄｅ４に比べて、さらに消費電力を低減することができる。
【００５２】
動作モードＭｏｄｅ６では、動作モードＭｏｄｅ５に対して、アナログデジタル変換部１１６の分解能を一段階低くするとともに、高度の測定精度に与える影響が次に少ないアナログデジタル変換部１１７を停止させる。これにより、動作モードＭｏｄｅ６では、図３（ｂ）に示すように、動作モードＭｏｄｅ５に比べて、さらに消費電力を低減することができる。ここで、動作モードＭｏｄｅ６では、動作モードＭｏｄｅ５に対して、高度の測定精度に与える影響が最も大きいアナログデジタル変換部１１６の分解能を一段階高くする。これにより、測定精度をある程度高精度に維持することができる。
【００５３】
以上説明したような動作モードの変更は、操作ボタン１０３を用いて手動で行ってもよいし、少なくとも１つのセンサーの検出結果に応じて自動的に行ってもよい。以下、動作モードまたは分解能の切り換え例について説明する。
【００５４】
図４は、図２に示す各アナログデジタル変換部の分解能の切り換え例（第１例）を示す図である。
【００５５】
前述した動作モードＭｏｄｅ１〜６について、例えば、動作モードＭｏｄｅ１を「高精度モード」、動作モードＭｏｄｅ２を「運動モード１」、動作モードＭｏｄｅ３を「運動モード２」、動作モードＭｏｄｅ４を「運動モード３」、動作モードＭｏｄｅ５を「日常モード」、動作モードＭｏｄｅ６を「省電力モード」のような名称とし、ユーザーが表示部１０２でこれらのモードの表示を確認しながら操作ボタン１０３の操作により動作モードを選択できるようにする。
【００５６】
これにより、図４に示すように、高精度な検出精度をあまり必要としない日常生活等の通常時には、日常モードとし、省電力化を図り、一方、高精度な検出精度を必要とする運動時等の必要時には、運動モード（１〜３のいずれか）または高精度モードとし、検出精度の高精度化を図る。また、特に省電力が必要な時には、省電力モードとすることで、消費電力を極力小さくすることができる。
【００５７】
以上のようにして、手動で動作モードを切り換えて、検出精度の高精度化と省電力化との両立を図ることができる。
【００５８】
また、自動的に動作モードを切り換える場合、例えば、以下のように、高度情報に基づいて動作モードを切り換えることができる。
【００５９】
図５は、図２に示す各アナログデジタル変換部の分解能の切り換え例（第２例）を示す図である。
【００６０】
単位時間当たりの高さの変化が大きいときは、測定精度を上げるように動作モードまたは分解能を変更し、単位時間当たりの高さの変化が小さいときは、測定精度または消費電力を下げるように動作モードまたは分解能を変更する。
【００６１】
例えば、登山等を行う際を想定し図５に示すように高さが変化した場合、Ｔｅｒｍ１では、高さが急激に変化したので、各アナログデジタル変換部１１５〜１１８の分解能を１段階上げる。Ｔｅｒｍ１の後のＴｅｒｍ２では、高さの変化が緩やかになったので、各アナログデジタル変換部１１５〜１１８の分解能を１段階下げる（元の分解能に戻す）。Ｔｅｒｍ２の後のＴｅｒｍ３では、高さが急激に変化したので、各アナログデジタル変換部１１５〜１１８の分解能を１段階上げ、その後も高さが急激に変化し続けたので、各アナログデジタル変換部１１５〜１１８の分解能をもう１段階上げる（合計２段階上げる）。Ｔｅｒｍ３の後のＴｅｒｍ４では、高さの変化が緩やかになったので、各アナログデジタル変換部１１５〜１１８の分解能を２段階下げる（元の分解能に戻す）。
【００６２】
以上のようにして、例えば登山等を行う際、高精度な検出精度をあまり必要としない時には、分解能を低くし、省電力化を図り、一方、高精度な検出精度を必要とする時には、分解能を高くし、検出精度の高精度化を図る。
【００６３】
図６は、図２に示す各アナログデジタル変換部の分解能の切り換え例（第３例）を示す図である。
【００６４】
例えば、屋内での移動等を行う際を想定し図６に示すように高さが変化した場合、Ｔｅｒｍ１では、前述した第２例のｔｅｍｒ１と同様、高さが急激に変化したので、各アナログデジタル変換部１１５〜１１８の分解能を１段階上げる。Ｔｅｒｍ１の後のＴｅｒｍ２では、前述した第２例のｔｅｒｍ２と同様、高さの変化が緩やかになったので、各アナログデジタル変換部１１５〜１１８の分解能を１段階下げる（元の分解能に戻す）。Ｔｅｒｍ２の後のＴｅｒｍ３では、高さが急激に変化したが、その変化率が大きすぎるので、ユーザーがエレベーターに乗っていて正確な高度情報が不要であると判断し、各アナログデジタル変換部１１５〜１１８の分解能をあえて１段階下げ、消費電力を低減する。Ｔｅｒｍ３の後のＴｅｒｍ４では、高さの変化が緩やかになったので、各アナログデジタル変換部１１５〜１１８の分解能を一時的に２段階上げる（元の分解能よりも１段階上げる）。Ｔｅｒｍ４の後のＴｅｒｍ５では、高さの変化が緩やかな状態が継続しているので、各アナログデジタル変換部１１５〜１１８の分解能を１段階下げる（元の分解能に戻す）。
【００６５】
以上のようにして、例えば屋内での移動等を行う際、高精度な検出精度をあまり必要としない時には、分解能を低くし、省電力化を図り、一方、高精度な検出精度を必要とする時には、分解能を高くし、検出精度の高精度化を図る。
【００６６】
図７は、図２に示す各アナログデジタル変換部の分解能の切り換え例（第４例）を示す図である。
【００６７】
例えば、地下や水中等への移動を行う際を想定し図７に示すように高さが変化した場合、Ｔｅｒｍ１では、高さが急激に変化したので、前述した第２例のｔｅｒｍ１と同様、各アナログデジタル変換部１１５〜１１８の分解能を１段階上げる。このとき、海抜０ｍ以下になっていないため、ＧＰＳ受信部１０５は動作させたままとする。Ｔｅｒｍ１の後のＴｅｒｍ２では、高さの変化が緩やかになったので、前述した第２例のｔｅｒｍ２と同様、各アナログデジタル変換部１１５〜１１８の分解能を１段階下げる（元の分解能に戻す）。本例では、このとき、信号の受信が困難なＧＰＳ受信部１０５を停止させる。これにより、省電力化を図る。Ｔｅｒｍ２の後のＴｅｒｍ３では、高さが急激に変化したので、各アナログデジタル変換部１１５〜１１８の分解能を１段階上げる。Ｔｅｒｍ３の後のＴｅｒｍ４では、高さの変化が緩やかになったので、各アナログデジタル変換部１１５〜１１８の分解能を１段階下げる（元の分解能に戻す）。
【００６８】
以上のようにして、例えば地下や水中等への移動を行う際、省電力化を効率的に図ることができる。
【００６９】
以上説明したような携帯情報機器１０によれば、アナログデジタル変換部１１５〜１１８のそれぞれにおいて、高い分解能を用いることで、高精度な検出を行うことができ、一方、低い分解能を用いることで、消費電力を低減することができる。特に、携帯情報機器１０の使用シーンに応じて、各アナログデジタル変換部１１５〜１１８の分解能を適宜変更することで、省電力化と検出精度の高精度化との両立を図ることができる。
【００７０】
また、制御部１１０が、センサー１０６〜１０９のうちの少なくとも１つのセンサーを選択して停止するため、特に詳細な検出情報が特に必要な場合に、検出を行うセンサーの数を増やし、検出情報の充実化を図り、一方、それ以外の場合に、検出を行うセンサーの数を減らし、消費電力を低減することができる。
【００７１】
また、制御部１１０が、気圧センサー１０６の単位時間当たりの検出気圧の変化に基づいて、アナログデジタル変換部１１５〜１１８の分解能を設定するため、高精度な検出が特に必要な場合に各アナログデジタル変換部１１５〜１１８の分解能を高くし、検出精度を高め、一方、それ以外の場合に各アナログデジタル変換部１１５〜１１８の分解能を低くし、消費電力を低減することができる。
【００７２】
以上、本発明の携帯情報機器を図示の各実施形態に基づいて説明したが、本発明はこれらに限定されるものではなく、各部の構成は、同様の機能を有する任意の構成のものに置換することができる。また、他の任意の構成物が付加されていてもよい。
【００７３】
また、前述した実施形態では、本発明の携帯情報機器として腕時計型の機器（時計）を例に説明したが、これに限定されず、本発明の携帯情報機器は、例えば、携帯電話、スマートフォン、タブレット端末等に適用することができる。
【符号の説明】
【００７４】
１０‥‥携帯情報機器
１０１‥‥ケース
１０２‥‥表示部
１０３‥‥操作ボタン
１０４‥‥バンド
１０５‥‥ＧＰＳ受信部
１０６‥‥気圧センサー
１０７‥‥温度センサー
１０８‥‥加速度センサー
１０９‥‥ジャイロセンサー
１１０‥‥制御部
１１１‥‥無線通信部
１１２‥‥電源回路
１１３‥‥バッテリー
１１４‥‥記憶部
１１５‥‥アナログデジタル変換部
１１６‥‥アナログデジタル変換部
１１７‥‥アナログデジタル変換部
１１８‥‥アナログデジタル変換部
１０５１‥‥ＧＰＳ受信機
１０５２‥‥ＧＰＳアンテナ
１１１１‥‥アンテナ
１１１２‥‥通信回路
【図１】
2016208217.tif 000003
【図２】
2016208217.tif 000004
【図３】
2016208217.tif 000005
【図４】
2016208217.tif 000006
【図５】
2016208217.tif 000007
【図６】
2016208217.tif 000008
【図７】
2016208217.tif 000009